【手続補正書】
【提出日】平成18年5月26日(2006.5.26)
【手続補正１】
【補正対象書類名】特許請求の範囲
【補正対象項目名】請求項５
【補正方法】変更
【補正の内容】
【請求項５】
レーザブロックと、収束分散光学系と、収束角変換光学系とを備え、
前記レーザブロックは、複数の半導体レーザが、該半導体レーザそれぞれの活性層が同一平面上に並ぶように配置され、該同一平面上に互いに平行なスロー軸を有する各光束を射出するものであり、
前記収束分散光学系は、前記複数の半導体レーザから射出された各光束からなる全体光束を前記スロー軸方向の幅が狭くなるように収束させるとともに各光束それぞれをファスト軸方向において互いに異なる位置にオフセットさせ、かつ、各光束それぞれを該各光束のスロー軸方向およびファスト軸方向に収束させて、各光束それぞれを該各光束のファスト軸方向において互いに異なる所定の位置で前記収束角変換光学系に入射させるものであり、
前記収束角変換光学系は、各光束の光軸がファスト軸方向視において互いに交わる位置のうちの最上流側の位置よりさらに上流側に配置されて、前記全体光束の収束角を前記収束分散光学系から射出させたときの全体光束の収束角より小さい収束角にしてこの全体光束を光ファイバに入射させるものであることを特徴とするレーザ光合波装置。
【手続補正２】
【補正対象書類名】特許請求の範囲
【補正対象項目名】請求項１２
【補正方法】変更
【補正の内容】
【請求項１２】
レーザブロックと、全体収束光学系と、収束角変換光学系とを備え、
前記レーザブロックは、複数の半導体レーザが、該半導体レーザそれぞれの活性層が平行となり、かつ、それぞれの活性層の位置が該活性層の厚さ方向において互いに異なる位置となるように配置され、互いに平行なスロー軸を有する各光束を射出するものであり、
前記全体収束光学系は、前記複数の半導体レーザから射出されたスロー軸が互いに平行な各光束からなる全体光束を前記スロー軸方向の幅が狭くなるように収束させるとともに各光束それぞれを該各光束のスロー軸方向およびファスト軸方向に収束させて、各光束それぞれを該各光束のファスト軸方向において互いに異なる所定の位置で前記収束角変換光学系に入射させるものであり、
前記収束角変換光学系は、各光束の光軸がファスト軸方向視において互いに交わる位置のうちの最上流側の位置よりさらに上流側に配置され、前記全体光束の収束角を前記全体収束光学系から射出させたときの全体光束の収束角より小さい収束角にしてこの全体光束を光ファイバに入射させるものであることを特徴とするレーザ光合波装置。
【手続補正３】
【補正対象書類名】明細書
【補正対象項目名】００３４
【補正方法】変更
【補正の内容】
【００３４】
本発明の第２のレーザ光合波装置は、レーザブロックと、収束分散光学系と、収束角変換光学系とを備え、レーザブロックは、複数の半導体レーザが、該半導体レーザそれぞれの活性層が同一平面上に並ぶように配置され、該同一平面上に互いに平行なスロー軸を有する各光束を射出するものであり、収束分散光学系は、前記複数の半導体レーザから射出された各光束に対応させて配置された各収束分散個別レンズからなり、前記各光束からなる全体光束をスロー軸方向の幅が狭くなるように収束させるとともに各光束それぞれをファスト軸方向において互いに異なる位置にオフセットさせ、かつ、各光束それぞれを該各光束のスロー軸方向およびファスト軸方向に収束させて、各光束それぞれを該各光束のファスト軸方向において互いに異なる所定の位置で前記収束角変換光学系に入射させるものであり、収束角変換光学系は、各光束の光軸がファスト軸方向視において互いに交わる位置のうちの最上流側の位置よりさらに上流側に配置され、前記全体光束の収束角を前記収束分散光学系から射出させたときの全体光束の収束角より小さい収束角にしてこの全体光束を光ファイバに入射させることを特徴とするものである。
【手続補正４】
【補正対象書類名】明細書
【補正対象項目名】００４２
【補正方法】変更
【補正の内容】
【００４２】
本発明の第３のレーザ光合波装置は、レーザブロックと、全体収束光学系と、収束角変換光学系とを備え、レーザブロックは、複数の半導体レーザが、該半導体レーザそれぞれの活性層が平行となり、かつ、それぞれの活性層の位置が該活性層の厚さ方向において互いに異なる位置となるように配置され、互いに平行なスロー軸を有する各光束を射出するものであり、全体収束光学系は、前記複数の半導体レーザから射出されたスロー軸が互いに平行な各光束からなる全体光束を前記スロー軸方向の幅が狭くなるように収束させるとともに各光束それぞれを該各光束のスロー軸方向およびファスト軸方向に収束させて、各光束それぞれを該各光束のファスト軸方向において互いに異なる所定の位置で前記収束角変換光学系に入射させるものであり、前記収束角変換光学系は、各光束の光軸がファスト軸方向視において互いに交わる位置のうちの最上流側の位置よりさらに上流側に配置され、前記全体光束の収束角を全体収束光学系から射出させたときの収束角より小さい収束角にしてこの全体光束を光ファイバに入射させることを特徴とするものである。
【手続補正５】
【補正対象書類名】明細書
【補正対象項目名】００６７
【補正方法】変更
【補正の内容】
【００６７】
また、光束収束手段を備え、この光束収束手段から射出される各光束のスロー軸方向視による射出角を、半導体レーザから射出されたときの上記各光束のそれぞれが対応する光束のスロー軸方向視における放射角より小さくすれば、光ファイバに入射させる光束の入射角を小さくすることができ、光ファイバの開口数ＮＡで定められる入射範囲内に入射する光量を多くすることができるので、この光ファイバ中に合波させる光の光量を増大させることができる。
【手続補正６】
【補正対象書類名】明細書
【補正対象項目名】００７３
【補正方法】変更
【補正の内容】
【００７３】
さらに、収束分散個別レンズをトランケート型のレンズにしたり、オフセット光学系をトランケート型のレンズにすれば、スロー軸方向の径が小さく、ファスト軸方向の径が大きい楕円形状の断面を有する上記各光束を過不足なくこのトランケート型のレンズに通すことができるので、各光束を効率よくレンズに通すことができるとともに、各光束間の間隔を詰めることができるので装置をさらに小型化し出力をさらに高めることができる。
【手続補正７】
【補正対象書類名】明細書
【補正対象項目名】００９３
【補正方法】変更
【補正の内容】
【００９３】
リダイレクションシステムである収束角変換光学系３０は、全体光束のファスト軸方向視の収束角を収束分散レンズ１２０から射出させたときの全体光束の収束角α１より小さい収束角α２にしてこの全体光束を光ファイバ４０のコア部４１に入射させるものであり、各光束の光軸がファスト軸方向視において（ここではＹＺ平面において）互いに交わる位置のうちの最上流側の位置Ｐａよりさらに上流側に配置されている。なお光ファイバ４０のコア部４１の径は５０μｍ、開口数ＮＡは０．２である。
【手続補正８】
【補正対象書類名】明細書
【補正対象項目名】０１２５
【補正方法】変更
【補正の内容】
【０１２５】
リダイレクションシステムである収束角変換光学系３０Ｃは、全体光束のファスト軸方向視の収束角を全体収束光学系２０から射出させたときの全体光束の収束角α１１より小さい収束角α１２にしてこの全体光束を光ファイバ４０のコア部４１に入射させるものであり、各光束の光軸がファスト軸方向視において互いに交わる位置のうちの最上流側の位置Ｐｂよりさらに上流側に配置されている。なお、光ファイバ４０のコア部４１の径は５０μｍ、開口数ＮＡは０．２である。
【手続補正９】
【補正対象書類名】明細書
【補正対象項目名】０１３２
【補正方法】変更
【補正の内容】
【０１３２】
その後、各光束Ｌａ、Ｌｂ、Ｌｃ…それぞれはファスト軸Ｆ方向において互いに異なる所定の位置３９Ａ、３９Ｂ、３９Ｃ…から収束角変換光学系３０Ｃの所定のプリズム３１Ａ、３１Ｂ、３１Ｃ…に入射され各プリズム３１Ａ、３１Ｂ、３１Ｃ…に入射し、各プリズム３１Ａ、３１Ｂ、３１Ｃ…で各光束からなる全体光束の収束角がファスト軸方向視においてより小さい収束角になるとともに、各光束の光軸がスロー軸方向視において収束するように各光軸の向きが変換されて上記全体光束が光ファイバ４０のコア部４１に入射する。ここで、上記コア部４１の入射端面の近傍に各光束のビームウエストが位置するように、各光束が全体収束光学系２０および収束角変換光学系３０Ｃを通して伝播される。